(57)【要約】      （修正有）【課題】手元、傘骨及び石突を含む非金属製環境保護型傘の構造を提供する。【解決手段】傘骨は、親骨、受骨及び皮製ベルトを含む。親骨は皮製ベルトを介して受骨と連結され、親骨の一端にＴ字状の雄ネジ付き上ろくろの第１係着溝に適合する第１係着部が設置される。受骨の一端にろくろ巻きスイッチ一体型部品におけるろくろ巻きの第２係着溝に適合する第２係着部が設置される。石突は円柱状の雌ネジ付きキャップとゴムリングを含み、手元は、順次連結される首管内スリーブ、歯車式スナップリング、Ｔ字状の雄ネジ付き上ろくろ、首管外スリーブ、中棒、ろくろ巻きスイッチ一体型部品、下ろくろ固定用外管、一体型手元、及び紐を含む。金属製部品を使用せず、傘骨は耐候性を有し且つ回転可能で、傘全体は立たせることができ、同時にハニカム構造をはじき無しで安全に開閉できる。【選択図】図９
0003225636.tif 000002
【実用新案登録請求の範囲】
【請求項１】
手元、傘骨及び石突を含む非金属製環境保護型傘の構造であって、
前記傘骨は、親骨（１）、受骨（２）、及び皮製ベルト（３）を含み、親骨（１）は皮製ベルト（３）を介して受骨（２）と連結され、親骨（１）の一端にＴ字状の雄ネジ付き上ろくろ（９）の第１係着溝（２０）に適合する第１係着部（４）が設置され、受骨（１）の一端にろくろ巻きスイッチ一体型部品（１２）におけるろくろ巻き（２２）の第２係着溝（２３）に適合する第２係着部（２４）が設置され、前記石突は、円柱状の雌ネジ付きキャップ（５）とゴムリング（６）を含み、前記手元は、首管内スリーブ（７）、歯車式スナップリング（８）、Ｔ字状の雄ネジ付き上ろくろ（９）、首管外スリーブ（１０）、中棒（１１）、ろくろ巻きスイッチ一体型部品（１２）、下ろくろ固定用外管（１３）、一体型手元（１４）及び紐（１５）を含み、首管内スリーブ（７）に首管内部係合部（１６）が設置され、首管外スリーブ（１０）に首管内部係合部（１６）に適合する首管外部係合部（１７）が設置され、歯車式スナップリング（８）にＴ字状の雄ネジ付き上ろくろ（９）における係合ブロック（１８）に適合する係合溝（１９）が開設され、Ｔ字状の雄ネジ付き上ろくろ（９）内に首管内スリーブ（７）を貫通する貫通孔（２１）が開設され、中棒（１１）の一端の外径寸法は首管外スリーブ（１０）の内径寸法に適合し、中棒（１１）の他端の内径寸法は一体型手元（１４）の一端の外径寸法に適合し、中棒（１１）は、ろくろ巻きスイッチ一体型部品（１２）とスライド連結され、ろくろ巻きスイッチ一体型部品（１２）における歯状部（２５）はＴ字状の雄ネジ付き上ろくろ（９）の第１係着溝（２０）に適合し、ろくろ巻きスイッチ一体型部品（１２）は下ろくろ固定用外管（１３）に適合し、一体型手元（１４）にろくろ巻きスイッチ一体型部品（１２）におけるスイッチ（２６）に適合する上リング内蔵式スイッチ係合口（２７）が設置され、一体型手元（１４）の他端の内径は紐（１５）の挿接ブロック（２８）の外径に適合することを特徴とする非金属製環境保護型傘の構造。
【請求項２】
前記親骨（１）の中央は前記皮製ベルト（３）を介して前記受骨（２）の他端に固定連結され、前記皮製ベルト（３）の前記受骨（２）に近い一端に可動ピン（２９）が設置される、ことを特徴とする請求項１に記載の非金属製環境保護型傘の構造。
【請求項３】
前記Ｔ字状の雄ネジ付き上ろくろ（９）は、連結柱（３０）と係着盤（３１）を含み、連結柱（３０）の先端に円柱状の雌ネジ付きキャップ（５）の雌ネジに適合する雄ネジ（３１）が設けられ、連結柱（３０）の後端に円周方向に沿って係合ブロック（１８）が設置され、係着盤（３１）に第１係着溝（２０）が均等に開設され、連結柱（３０）の内径は首管内スリーブ（７）の頭部の直径よりも小さい、ことを特徴とする請求項１に記載の非金属製環境保護型傘の構造。
【請求項４】
前記ろくろ巻きスイッチ一体型部品（１２）はスリーブ（３２）を含み、スリーブ（３２）の先端は歯状部（２５）であり、スリーブ（３２）の中央にろくろ巻き（２２）が設置され、ろくろ巻き（２２）に第２係着溝（２３）が均等に開設され、スリーブ（３２）の後端はスイッチ（２６）であり、スイッチ（２６）の底端の内側に円弧状突起（３３）が設けられ、前記円弧状の突起（３３）は上リング内蔵式スイッチ係合口（２７）に係合される、ことを特徴とする請求項１に記載の非金属製環境保護型傘の構造。
【請求項５】
前記下ろくろ固定用外管（１３）はラッパ状管（３４）とストレート管（３５）を含み、ラッパ状管（３４）はろくろ巻き（２２）に適合し、ストレート管（３５）の内壁にスイッチ（２６）の外側に位置する台状突起（３６）に適合する係止溝が設けられる、ことを特徴とする請求項１に記載の非金属製環境保護型傘の構造。
【請求項６】
前記上リング内蔵式スイッチ係合口（２７）の下方にストッパ（３７）が設置される、ことを特徴とする請求項１に記載の非金属製環境保護型傘の構造。
【考案の詳細な説明】
【技術分野】
【０００１】
本考案は傘の分野に関し、特に非金属製環境保護型傘の構造に関する。
【背景技術】
【０００２】
傘は、太陽光や雨を遮蔽する生活用品として幅広く用いられており、最も広く用いられているものは雨傘、日傘、和傘やビーチパラソルなどである。
現状において、一般的な傘に存在する欠点は以下のとおりである。
【０００３】
（１）その先端部に、直接かぶせられて粘着されるスリーブが設けられており、入室時、傘を閉じてから立たせて保管するには不便である。
【０００４】
（２）その手元の底部に鉄製はじきがスイッチとして設けられ、該はじきを押下すると傘が開く。はじきは錆びやすく、安全ではない。
【０００５】
（３）傘骨の可動連結部は、いずれも金属部品であり、錆が生じやすいとともに、風で裏返ると復元が不可能である。
【０００６】
（４）人や硬い物体とぶつかると壊れやすく、耐用年数が短い。  
【考案の概要】
【考案が解決しようとする課題】
【０００７】
本考案は、一般的な傘における上記欠点を解消するために、前記構造に金属部品を使用せず、傘骨が耐候性を有し且つ回転し、傘全体を立たせることができ、ハニカム構造をはじき無しで開閉させることが可能な非金属製環境保護型傘の構造を提供する。
【課題を解決するための手段】
【０００８】
上記目的を達成するために、本考案は以下の技術的解決手段を採用する。
【０００９】
手元、傘骨及び石突を含む非金属製環境保護型傘の構造であって、傘骨は、親骨、受骨、及び皮製ベルトを含み、親骨は皮製ベルトを介して受骨と連結され、親骨の一端にＴ字状の雄ネジ付き上ろくろの第１係着溝に適合する第１係着部が設置され、受骨の一端にろくろ巻きスイッチ一体型部品におけるろくろ巻きの第２係着溝に適合する第２係着部が設置され、石突は、円柱状の雌ネジ付きキャップとゴムリングを含み、手元は、首管内スリーブ、歯車式スナップリング、Ｔ字状の雄ネジ付き上ろくろ、首管外スリーブ、中棒、ろくろ巻きスイッチ一体型部品、下ろくろ固定用外管、一体型手元及び紐を含み、首管内スリーブに首管内部係合部が設置され、首管外スリーブに首管内部係合部に適合する首管外部係合部が設置され、歯車式スナップリングにＴ字状の雄ネジ付き上ろくろの係合ブロックに適合する係合溝が開設され、Ｔ字状の雄ネジ付き上ろくろ内に首管内スリーブを貫通する貫通孔が開設され、中棒の一端の外径寸法は首管外スリーブの内径寸法に適合し、中棒の他端の内径寸法は一体型手元の一端の外径寸法に適合し、中棒は、ろくろ巻きスイッチ一体型部品とスライド連結され、ろくろ巻きスイッチ一体型部品の歯状部はＴ字状の雄ネジ付き上ろくろの第１係着溝に適合し、ろくろ巻きスイッチ一体型部品は下ろくろ固定用外管に適合し、一体型手元にろくろ巻きスイッチ一体型部品におけるスイッチに適合する上リング内蔵式スイッチ係合口が設置され、一体型手元の他端の内径は紐の挿接ブロックの外径に適合する非金属製環境保護型傘の構造。
【００１０】
更に、親骨の中央は皮製ベルトを介して受骨の他端に固定して連結され、皮製ベルトの受骨に近い一端に可動ピンが設置される。
【００１１】
更に、Ｔ字状の雄ネジ付き上ろくろは、連結柱と係着盤を含み、連結柱の先端に円柱状の雌ネジ付きキャップの雌ネジに適合する雄ネジが設けられ、連結柱の後端に円周方向に沿って係合ブロックが設置され、係着盤に第１係着溝が均等に開設され、連結柱の内径は首管内スリーブの頭部の直径よりも小さい。
【００１２】
更に、ろくろ巻きスイッチ一体型部品はスリーブを含み、スリーブの先端は歯状部であり、スリーブの中央にろくろ巻きが設置され、ろくろ巻きに第２係着溝が均等に開設され、スリーブの後端はスイッチであり、スイッチの底端の内側に円弧状の突起が設けられ、前記円弧状の突起は上リング内蔵式スイッチ係合口に係合される。
【００１３】
更に、下ろくろ固定用外管はラッパ状管とストレート管を含み、ラッパ状管はろくろ巻きに適合し、ストレート管の内壁にスイッチの外側に位置する台状突起に適合する係止溝が設置される。
【００１４】
更に、上リング内蔵式スイッチ係合口の下方にストッパが設置される。
【考案の効果】
【００１５】
１、本考案によれば、傘骨構造は、皮製ベルトによる連結を採用し、非金属製であり、錆びにくく、風によって裏返されても復元させることが可能である。
【００１６】
２、本考案によれば、手元構造全体は、留め具による連結を採用し、非金属製であり、錆びにくい。
【００１７】
３、本考案によれば、歯車留め具リングとＴ字状の雄ネジ付き上ろくろは傘骨の親骨を固定するために用いられ、更に円柱状の雌ネジ付きキャップと螺着して連結され、首管内スリーブは、Ｔ字状の雄ネジ付き上ろくろを貫通して首管外スリーブと係合することにより、回転構造を構成し、人や硬い物体とぶつかった場合、該回転構造は傘骨を駆動して回転させ、耐用年数が向上する。円柱状の雌ネジ付きキャップ内に、雨水を遮断するためのゴムリングが設置される。
【００１８】
４、本考案によれば、はじき無しで安全に開閉するハニカム構造は、ろくろ巻きスイッチ一体型部品と下ろくろ固定用外管からなり、傘を閉じた場合、該構造は上リング内蔵式スイッチ係合口に係止されて固定されたままになり、上方へ押すことで傘骨を開いて直接支持することができ、金属を必要とせず、錆びにくい。
【００１９】
５、本考案によれば、円柱状の雌ネジ付きキャップによって傘全体を立たせることができ、収納しやすい。
【図面の簡単な説明】
【００２０】
【図１】本考案の傘骨の構造の概略図である。
【図２】本考案の石突及び手元の分解図である。
【図３】本考案の回転構造の分解図である。
【図４】本考案の円柱状の雌ネジ付きキャップの構造の概略図である。
【図５】本考案の歯車式スナップリングの構造の概略図である。
【図６】本考案のＴ字状の雄ネジ付き上ろくろの構造の概略図である。
【図７】本考案のろくろ巻きスイッチ一体型部品の構造の概略図である。
【図８】本考案の一体型手元の構造の概略図である。
【図９】本考案の非金属製環境保護型傘の開いた状態の概略図である。
【図１０】本考案の非金属製環境保護型傘の閉じた状態の概略図である。
【図１１】図９におけるＡ箇所の拡大図である。
【考案を実施するための形態】
【００２１】
以下、図面及び実施例を参照しながら、本考案について詳しく説明する。
【００２２】
本考案は、手元、傘骨及び石突を含む非金属製環境保護型傘の構造を提供する。図１に示すように、傘骨は、親骨１、受骨２及び皮製ベルト３を含む。親骨１の一端にＴ字状の雄ネジ付き上ろくろ９の第１係着溝２０に適合する第１係着部４が設置される。受骨２の一端にろくろ巻きスイッチ一体型部品１２におけるろくろ巻き２２の第２係着溝２３に適合する第２係着部２４が設置される。親骨１の中央は皮製ベルト３を介して受骨２の他端に固定して連結される。傘が閉じた状態又は開いた状態における可動支持部としての皮製ベルト３の受骨２に近い一端に可動ピン２９が設置され（図１１）、皮製ベルト３の親骨１の中央に近い他端は、固定支持部として固定連結される。該傘骨構造は、皮製ベルト３による連結を採用し、非金属製であり、錆びにくく、風によって裏返されても、皮製ベルト３の弾力性によって完全に復元させることが可能である。図２、３に示すように、石突は、円柱状の雌ネジ付きキャップ５（図４）とゴムリング６を含む。手元は、首管内スリーブ７、歯車式スナップリング８、Ｔ字状の雄ネジ付き上ろくろ９、首管外スリーブ１０、中棒１１、ろくろ巻きスイッチ一体型部品１２、下ろくろ固定用外管１３、一体型手元１４及び紐１５を含む。首管内スリーブ７に首管内部係合部１６が設置される。首管外スリーブ１０に首管内部係合部１６に適合する首管外部係合部１７が設置される。歯車式スナップリング８にＴ字状の雄ネジ付き上ろくろ９の係合ブロック１８に適合する係合溝１９が開設される（図５）。Ｔ字状の雄ネジ付き上ろくろ９内に首管内スリーブ７を貫通する貫通孔２１が開設される（図６）。中棒１１は一端の外径寸法が首管外スリーブ１０の内径寸法に適合し、他端の内径寸法が一体型手元１４の一端の内径寸法に適合する。中棒１１は、ろくろ巻きスイッチ一体型部品１２とスライド連結される。ろくろ巻きスイッチ一体型部品１２の歯状部２５はＴ字状の雄ネジ付き上ろくろ９の第１係着溝２０に適合する（図７）。ろくろ巻きスイッチ一体型部品１２は下ろくろ固定用外管１３に適合する（図７）。下ろくろ固定用外管１３はラッパ状管３４とストレート管３５を含む。ラッパ状管３４はろくろ巻き２２に適合する。ストレート管３５の内壁にスイッチ２６の外側に位置する台状突起３６に適合する係止溝が設置される。一体型手元１４にろくろ巻きスイッチ一体型部品１２のスイッチ２６に適合する上リング内蔵式スイッチ係合口２７が設置される。一体型手元１４の他端の内径は紐１５の挿接ブロック２８の外径に適合する。手元の構造全体は、留め具による連結を採用し、金属を必要としないため、錆びにくい。
【００２３】
図６に示すように、Ｔ字状の雄ネジ付き上ろくろ９は、連結柱３０と係着盤３１を含む。連結柱３０の先端に円柱状の雌ネジ付きキャップ５の雌ネジに適合する雄ネジ３１が設置される。連結柱３０の後端に円周方向に沿って係合ブロック１８が設置される。係着盤３１に第１係着溝２０が均等に開設される。連結柱３０の内径は首管内スリーブ７の頭部の直径よりも小さい。
【００２４】
図７に示すように、ろくろ巻きスイッチ一体型部品１２はスリーブ３２を含む。スリーブ３２の先端は歯状部２５である。スリーブ３２の中央にろくろ巻き２２が設置される。ろくろ巻き２２に第２係着溝２３が均等に開設される。スリーブ３２の後端はスイッチ２６である。スイッチ２６の底端の内側に円弧状突起３３が設けられる。該円弧状の突起３３は上リング内蔵式スイッチ係合口２７に係合される。
【００２５】
図８に示すように、上リング内蔵式スイッチ係合口２７の下方にストッパ３７が設置される。
【００２６】
本考案の取り付け過程は以下のとおりである。首管内スリーブ７にＴ字状の雄ネジ付き上ろくろ９を貫通させ、親骨１の第１係着部４はＴ字状の雄ネジ付き上ろくろ９の第１係着溝２０に係止され、歯車式スナップリング８をＴ字状の雄ネジ付き上ろくろ９の係着盤３１上に置き、ゴムリング６を円柱状の雌ネジ付きキャップ５内に入れ、雨水を遮断するために使用し、円柱状の雌ネジ付きキャップ５をＴ字状の雄ネジ付き上ろくろ９の雌ネジ付き連結柱３０にねじ込むことにより、親骨１をＴ字状の雄ネジ付き上ろくろ９に固定し、首管外スリーブ１０を首管内スリーブ７にかぶせて係合部を介して相互に係止することにより、回転構造を構成する。人や硬い物体とぶつかった場合、該回転構造を介して傘骨を駆動して回転させる。これにより、耐用年数を向上させる。中棒１１の一端を首管外スリーブ１０内に挿入し、中棒１１をろくろ巻きスイッチ一体型部品１２に挿入し、受骨２の第２係着部２４をろくろ巻きスイッチ一体型部品１２におけるろくろ巻き２２の第２係着溝２３に係止させ、ろくろ巻きスイッチ一体型部品１２を下ろくろ固定用外管１３に挿入し、受骨２をろくろ巻きスイッチ一体型部品１２と固定し、一体型手元１４の一端を中棒１１の他端内に挿入することにより、はじき無しで安全に開閉するハニカム構造を構成する。傘を閉じた場合、該構造は上リング内蔵式スイッチ係合口２７に係止されて固定されたままになり、上方へ押すことで傘骨を開き直接支持することができる。金属を使用せず、錆びにくい。紐１５は一体型手元１４の他端に挿入される。
【００２７】
本考案の動作過程は以下のとおりである。図９に示すように、傘を開く場合、ろくろ巻きスイッチ一体型部品１２の歯状部２５が、Ｔ字状の雄ネジ付き上ろくろ９の第１係着溝２０の底部に係止されて固定されるまで、はじき無しで安全に開閉するハニカム構造を上方へ直接押すことにより、傘が開いた状態になる。図１０に示すように、傘を閉じる場合、ろくろ巻きスイッチ一体型部品１２のスイッチ２６が、上リング内蔵式スイッチ係合口２７に係止されて固定されるまで、はじき無しで安全に開閉するハニカム構造を下方へ押すことにより、傘が閉じた状態になる。その際、円柱状の雌ネジ付きキャップ５により傘全体を立たせることができ、人や硬い物体とぶつかった場合、回転構造によって傘骨を駆動して回転させる。
【００２８】
本考案の保護範囲の制限について、当業者であれば、本考案の技術的解決手段に基づき、創造的な労力を要することなくなされる各種の修正または変形はいずれも本考案の保護範囲に属することを理解すべきである。
【符号の説明】
【００２９】
１  親骨、２  受骨、３  皮製ベルト、４  第１係着部、５  円柱状の雌ネジ付きキャップ、６  ゴムリング、７  首管内スリーブ、８  歯車式スナップリング、９  Ｔ字状の雄ネジ付き上ろくろ、１０  首管外スリーブ、１１  中棒、１２  ろくろ巻きスイッチ一体型部品、１３  下ろくろ固定用外管、１４  一体型手元、１５  紐、１６  首管内部係合部、１７  首管外部係合部、１８  係合ブロック、１９  係合溝、２０  第１係着溝、２１  貫通孔、２２  ろくろ巻き、２３  第２係着溝、２４  第２係着部、２５  歯状部、２６  スイッチ、２７  上リング内蔵式スイッチ係合口、２８  挿接ブロック、２９  可動ピン、３０  連結柱、３１  係着盤、３２  スリーブ、３３  円弧状の突起、３４  ラッパ状管、３５  ストレート管、３６  台状突起、３７  ストッパ。
【図１】
0003225636.tif 000003
【図２】
0003225636.tif 000004
【図３】
0003225636.tif 000005
【図４】
0003225636.tif 000006
【図５】
0003225636.tif 000007
【図６】
0003225636.tif 000008
【図７】
0003225636.tif 000009
【図８】
0003225636.tif 000010
【図９】
0003225636.tif 000011
【図１０】
0003225636.tif 000012
【図１１】
0003225636.tif 000013